【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
情報処理装置から能力情報の問い合わせを受信する受信手段と、
前記問い合わせの応答として、前記情報処理装置が画像データの回転に使用する情報を前記情報処理装置に送信する送信手段と、
前記情報を受信した前記情報処理装置から受信した画像データに基づき、処理を実行する制御手段と、
を有することを特徴とする印刷装置。
【請求項２】
前記情報は、前記印刷装置が前記情報処理装置から受信した前記画像データを回転することができるかを示す情報であることを特徴とする請求項１に記載の印刷装置。
【請求項３】
前記制御手段は、受信した前記画像データを１８０度回転することを特徴とする請求項１または２に記載の印刷装置。
【請求項４】
受信した前記画像データに基づき、前記画像データを回転するかを判定する判定手段をさらに有し、
前記制御手段は、前記判定手段の判定に基づき、前記画像データを回転することを特徴とする請求項１乃至３のいずれか一項に記載の印刷装置。
【請求項５】
前記判定手段は、前記受信した画像データが、横長の画像データが前記情報処理装置によって回転された画像データである場合、前記画像データを回転すると判定することを特徴とする請求項４に記載の印刷装置。
【請求項６】
前記判定手段は、前記受信した画像データが所定のフォーマットであり、かつ、前記受信した画像データが、横長の画像データが前記情報処理装置によって回転された画像データである場合、前記画像データを回転すると判定することを特徴とする請求項４に記載の印刷装置。
【請求項７】
画像データを回転することができるかを示す情報を印刷装置から受信する受信手段と、
前記受信した情報に基づき、横長の画像データの回転の方向を決定する決定手段と、
前記決定手段により決定された方向に横長の画像データを回転する制御手段と、
前記制御手段により回転された前記画像データを前記印刷装置に送信する送信手段と、
を有することを特徴とする情報処理装置。
【請求項８】
前記受信手段は、前記印刷装置で利用することができる１または複数の画像データのフォーマットを前記印刷装置から受信し、
前記決定手段は、受信した前記フォーマットに基づき決定される前記画像データのフォーマットに従って前記方向を決定することを特徴とする請求項７に記載の情報処理装置。
【請求項９】
受信した前記画像データのフォーマットに含まれる第１のフォーマットで生成した画像データのデータサイズが所定の値を超える場合、前記第１のフォーマットと異なる第２のフォーマットで前記横長の画像データを生成する生成手段をさらに有し、
前記制御手段は、生成された前記第２のフォーマットの前記横長の画像データを回転することを特徴とする請求項８に記載の情報処理装置。
【請求項１０】
ユーザから後処理を施す位置の指定を受け付ける受付手段をさらに有し、
前記送信手段は、受け付けた前記後処理を施す位置を、前記決定手段が決定した前記方向に回転した位置として前記印刷装置に送信することを特徴とする請求項７乃至９のいずれか一項に記載の情報処理装置。
【請求項１１】
前記受信手段が前記印刷装置から画像データを回転することができることを示す第１の情報を受信した場合に横長の画像データを回転する方向は、前記受信手段が前記印刷装置から画像データを回転することができないことを示す第２の情報を受信した場合に横長の画像データを回転する方向と１８０度、異なることを特徴とする請求項７乃至１０のいずれか一項に記載の情報処理装置。
【請求項１２】
前記送信手段は、前記画像データと、回転する前の前記画像データが横長の画像データであることを示す情報とを送信することを特徴とする請求項７乃至１１のいずれか一項に記載の情報処理装置。
【請求項１３】
印刷装置の制御方法であって、
情報処理装置から能力情報の問い合わせを受信する受信工程と、
前記問い合わせの応答として、前記情報処理装置が画像データの回転に使用する情報を前記情報処理装置に送信する送信工程と、
前記情報を受信した前記情報処理装置から受信した画像データに基づき、処理を実行する制御工程と、
を有することを特徴とする制御方法。
【請求項１４】
請求項１乃至６のいずれか一項に記載の印刷装置の各手段のすべてをコンピュータに実行させるためのプログラム。
【手続補正２】
【補正対象書類名】明細書
【補正対象項目名】発明の名称
【補正方法】変更
【補正の内容】
【発明の名称】情報処理装置と、印刷装置とその制御方法及びプログラム
【手続補正３】
【補正対象書類名】明細書
【補正対象項目名】０００１
【補正方法】変更
【補正の内容】
【０００１】
本発明は、情報処理装置と、印刷装置とその制御方法及びプログラムに関するものである。
【手続補正４】
【補正対象書類名】明細書
【補正対象項目名】００１２
【補正方法】変更
【補正の内容】
【００１２】
上記目的を達成するために本発明の一態様に係る印刷装置は以下のような構成を備える。即ち、
情報処理装置から能力情報の問い合わせを受信する受信手段と、
前記問い合わせの応答として、前記情報処理装置が画像データの回転に使用する情報を前記情報処理装置に送信する送信手段と、
前記情報を受信した前記情報処理装置から受信した画像データに基づき、処理を実行する制御手段と、を有することを特徴とする。
【手続補正５】
【補正対象書類名】明細書
【補正対象項目名】００２３
【補正方法】変更
【補正の内容】
【００２３】
操作部インタフェース（Ｉ／Ｆ）２１５は、操作部２１６と制御部２１０とを接続する。操作部２１６には、タッチパネル機能を有する表示部や各種ハードキーなどが備えられ、各種情報を表示する表示部や、ユーザの指示を受け付ける受付部として機能する。印刷部Ｉ／Ｆ２１７は、印刷部（プリンタエンジン）２１８と制御部２１０とを接続する。情報処理装置から受信した印刷ジョブを解析して生成された画像データは、印刷部Ｉ／Ｆ２１７を介して制御部２１０から印刷部２１８に転送される。印刷部２１８は、制御部２１０から制御コマンド及び印刷すべき画像データ等を受信し、それらコマンドやデータに基づいて給紙カセット（不図示）から給送されたシートに画像を印刷する。シート処理部Ｉ／Ｆ２２０は、シート処理部２２１と制御部１１０を接続する。シート処理部２２１はＣＰＵ１１１からの制御コマンドを受信し、その制御コマンドに従って印刷部２１８により印刷されたシートに後処理を施す。例えば、複数のシートを揃える、複数のシートの排出先を複数のトレイに分ける、中綴じ製本する、パンチ穴をあける、及び複数のシートを綴じるなどの後処理を実行する。尚、印刷部２１８の印刷方式は、電子写真方式であってもよいし、インクジェット方式であってもよい。また熱転写方式などその他の印刷方式を適用することもできる。また制御部２１０は、通信部Ｉ／Ｆ２１９を介してＬＡＮ１００に接続される。通信部Ｉ／Ｆ２１９は、ＬＡＮ１００上の情報処理装置に画像データや情報を送信し、ＬＡＮ１００上の情報処理装置から印刷ジョブや情報を受信する。
【手続補正６】
【補正対象書類名】明細書
【補正対象項目名】００２９
【補正方法】変更
【補正の内容】
【００２９】
ページ制御部３０８は、ＰＤＬ解析部３０４のページ解析処理、ＲＩＰ制御部３１２のＲＩＰ処理、印刷制御部３１１の印刷制御処理を制御する。印刷制御部３１１は、ページ保存部３０９からＲＩＰ済みの画像データを取得し、ＣＭＹＫに色分解してエンジン制御部３１３に転送する。エンジン制御部３１３は、印刷制御部３１１からページ単位でＣＭＹＫ別の画像データを受け取り、印刷部２１８を制御して各ページの印刷処理を行う。